(57)【特許請求の範囲】
【請求項１】
液を送液するホースに着脱自在に外装され、開閉自在な両端に互いに入れ子式に挿入可能な二叉部が形成されると共に、これら二叉部の互いに対向する側に、互いに噛合し得る噛合部が形成されてなるクランプを備えたホースクランプ部と、前記クランプの二叉部の間の凹曲面側に植設され、前記ホースに刺込まれる液抜用刺込管とを備え、この液抜用刺込管で抜出された液を液使用側に分配供給する液分岐装置の前記液抜用刺込管を前記ホースに刺込む際に用いる刺込管刺込用治具であって、前記ホースの直径より小間隔のホース挟圧面を有し、前記ホースが押込まれるホース保持凹所と、このホース保持凹所のホース挟圧面の外側に形成され、このホース保持凹所の開口部から離れるに連れて互いに間隔が拡大する斜面を有する二叉部拡張部と、この二叉部拡張部の少なくとも一方の斜面の幅方向の外側に形成され、前記二叉部の幅方向の側面を案内する案内面を有する二叉部ガイドとからなることを特徴とする刺込管刺込用治具。
【請求項２】
前記ホース保持凹所の奥から開口部までの寸法は、このホース保持凹所に押込まれた扁平後のホースの長径より小寸に設定されてなることを特徴とする請求項１に記載の刺込管刺込用治具。
【発明の詳細な説明】
【技術分野】
【０００１】
本発明は、刺込管刺込用治具に係り、例えば、散水装置等のホースに取付けられ、ホースクランプ部のクランプの互いに入れ子式の二叉部の間の凹曲面に、ホースに刺込まれる液抜用刺込管が植設されてなる液分岐装置の前記液抜用刺込管をホースに刺込む際に用いる刺込管刺込用治具に関する。
【背景技術】
【０００２】
近年、一戸建ての庭園においては勿論のこと、マンション等のベランダにおいてもプランターや植木鉢等を用いてのガーデニングが行われている。プランターや植木鉢等に植えられている植物への水、液体肥料、殺虫剤等の散布は、例えば主管と、分岐管、ホース、散布具等を備えてなる散水装置や液体散布装置が用いられている。散水装置としては、例えば、後述するような構成になる植栽用散水装置が公知である。
【０００３】
以下、上記従来例１に係る植栽用散水装置の概要を、添付図面を順次参照しながら説明する。図４は穴開け治具の斜視図であり、図５は穴開け治具によるホースへの穴開けを模式的に示す図であり、図６（ａ）は穴開け治具によりホースに開けられた穴に分岐チューブが接続された形態を示す斜視図であり、図６（ｂ）は穴開け治具によりホースに開けられた穴にマイクロエミッター（散水手段）、ホールプラグが取付けられた場合を模式的に示した図である。
【０００４】
この従来例１に係る植栽用散水装置は、蛇口に接続された蛇腹管と、この蛇腹管の先端部に取付けられたタイマー自動弁と、このタイマー自動弁に取付けられると共に各種の継手によって接続され、例えばポリエチレン製の複数のホースと、このホースの途中に設けられた複数の穴のそれぞれに取付けられる分岐チューブと、これら分岐チューブの先端部に取付けられた散水部等から構成されている。
【０００５】
前記ホースの途中に開けられた穴は、握持部６１と、先端が尖った穴開け部６２からなる、図４に示すような構成の穴開け治具６０によって開けられる。即ち、図５に示すように、握持部６１を手で握り、穴開け部６２の先端をホース５０に強く押し当てることにより開けられる。そして、このようにして、ホース５０に開けられた穴には、図６（ａ），（ｂ）に示すように、コネクター７２が取付けられると共に、このコネクター７２に、図示しない散水手段に水を供給するポリエチレン等から製造されてなる分岐チューブ７１が接続され、また例えばマイクロエミッター（散水手段）８１や、ホールプラグ８２が取付けられる。（例えば、特許文献１参照。）。
【０００６】
また、従来例２に係る散水装置が開示されてなる文献では、軟質合成樹脂からなるホースに水供給先に水を供給する供給管等を接続するために、パンチを用いてホースに穴を開ける点が記載されている（例えば、特許文献２参照。）。
【特許文献１】特開平１０−３１３７１１号公報
【特許文献２】実開平７−３７３７号公報
【発明の開示】
【発明が解決しようとする課題】
【０００７】
上記従来例１，２に係る散水装置の場合には、上記のとおり、ホースを流れる水を抜出して散水部や散水ノズルに分配供給する分岐チューブや立ち上げ管等をホースに接続するために、穴開け治具やパンチ（構成については不明）を用いて、ホースに分岐チューブや立ち上げ管等を接続するための穴を開けている。
【０００８】
故に、分岐チューブや立ち上げ管等を確実にホースに接続することができるので、接続部位における実用上の問題はないと考えられる。しかしながら、散水装置に使用されるホースは、一般的に樹脂製であるため極めて変形し易いから、穴開けが面倒であり、それなりの時間を要する。また、例えば従来例１の場合には、穴開け部の先端がホースの内壁に傷を付けたりする恐れや、穴開け部の先端が滑ってホースから外れたりすることもあり、怪我をしたりする恐れもある。つまり、ホースを流れる水（液）を分配供給する水（液）分岐装置を、穴開けするまでもなく迅速に、しかも安全、確実にホースに接続し得るようにすることが好ましい。
【０００９】
従って、本発明の目的は、ホースクランプ部の互いに入れ子式の二叉部の間の凹曲面にホースに刺込まれる液抜用刺込管が植設されてなる液分岐装置の前記液抜用刺込管をホースに刺込む際に用いる刺込管刺込用治具を提供することである。
【課題を解決するための手段】
【００１０】
本発明は上記課題を解決するためになされたものであって、従って本発明の請求項１に係る刺込管刺込用治具が採用した手段の要旨は、液を送液するホースに着脱自在に外装され、開閉自在な両端に互いに入れ子式に挿入可能な二叉部が形成されると共に、これら二叉部の互いに対向する側に、互いに噛合し得る噛合部が形成されてなるクランプを備えたホースクランプ部と、前記クランプの二叉部の間の凹曲面側に植設され、前記ホースに刺込まれる液抜用刺込管とを備え、この液抜用刺込管で抜出された液を液使用側に分配供給する液分岐装置の前記液抜用刺込管を前記ホースに刺込む際に用いる刺込管刺込用治具であって、前記ホースの直径より小間隔のホース挟圧面を有し、前記ホースが押込まれるホース保持凹所と、このホース保持凹所のホース挟圧面の外側に形成され、このホース保持凹所の開口部から離れるに連れて互いに間隔が拡大する斜面を有する二叉部拡張部と、この二叉部拡張部の少なくとも一方の斜面の幅方向の外側に形成され、前記二叉部の幅方向の側面を案内する案内面を有する二叉部ガイドとからなることを特徴とするものである。
【００１１】
本発明の請求項２に係る刺込管刺込用治具が採用した手段の要旨は、請求項１に記載の刺込管刺込用治具において、前記ホース保持凹所の奥から開口部までの寸法は、このホース保持凹所に押込まれた扁平後のホースの長径より小寸に設定されてなることを特徴とするものである。
【発明の効果】
【００１２】
本発明の請求項１または２に係る刺込管刺込用治具によれば、この刺込管刺込用治具のホース保持凹所にホースを押込み、液分岐装置のホースクランプ部のクランプの二叉部の相対する側を二叉部拡張部に合わせると共に、二叉部の幅方向の側面を二叉部ガイドの案内面に合わせた液分岐装置をホースの方向に押せば、液分岐装置は、二叉部の幅方向の側面が二叉部ガイドの案内面に案内されて位置ずれすることなく、かつクランプの二叉部が斜面により拡張されながらホースの方向に移動するため、液抜用刺込管がホースに刺込まれる。従って、従来例のように、穴開け治具により変形し易いホースに穴開けする必要がないから、液分岐装置を迅速に、しかも安全、確実にホースに接続することができる。
【００１３】
本発明の請求項２に係る刺込管刺込用治具によれば、刺込管刺込用治具のホース保持凹所の奥から開口部までの寸法は、このホース保持凹所に押込まれた扁平後のホースの長径より小寸に設定されている。従って、液抜用刺込管が完全にホースに刺込まれるため、ホース保持凹所からホースを取外すと共に、クランプの二叉部を挿入して噛合部を噛合させるだけで、この液分岐装置をホースに取付けることができる。また、ホース保持凹所に押込まれたホースは、液抜用刺込管の刺込方向に長径を有する形状に変形するため、液抜用刺込管の先端がホースの液抜用刺込管の刺込位置の反対側の内周面に突き当たるようなことがない。
【発明を実施するための最良の形態】
【００１４】
以下、本発明の実施の形態に係る刺込管刺込用治具を、この刺込管刺込用治具が液分岐装置（以下、水分岐装置という。）の液抜用刺込管（以下、水抜用刺込管という。）を園芸用散水装置の散水用の水を送水するホースに刺込む場合を例として、添付図面の図１乃至図３を順次参照しながら説明する。図１（ａ）は本発明の実施の形態に係る刺込管刺込用治具の側面図であり、図１（ｂ）は図１（ａ）のＡ矢視図であり、図２は水抜用刺込管をホースに刺込む作業手順説明図であり、図３は水分岐装置のホースへの取付け状態を示す構成説明図である。
【００１５】
先ず、本発明の実施の形態に係る刺込管刺込用治具を用いて、園芸用散水装置のホースに水抜用刺込管が刺込まれる水分岐装置を、図３を参照しながら説明する。即ち、この水分岐装置１０は、散水のための水を送水するホースＨに着脱自在に装着されるホースクランプ部１１と、このホースクランプ部１１に接続され、前記分岐ホース７が接続される継手部１７とから構成されている。この水分岐装置１０の前記ホースクランプ部１１は、前記ホースＨへの装着状態においては、このホースＨの外周を囲繞する、後述する構成になるクランプ１２を備えている。このクランプ１２は、図１において左側に示す第１クランプ１３と、右側に示す第２クランプ１４とから構成されている。
【００１６】
より詳しくは、前記第１クランプ１３の先端には、湾曲形成されてなる二叉部が形成されている。この第１クランプ１３の二叉部は、内側面がホース４の外周面に押圧され、外側面に側面視で三角波状の噛合歯が形成されてなる基端側の噛合部１３ａと、先端側の抜け止め部１３ｂとから構成されている。また、前記第２クランプ１４の先端にも、湾曲形成されてなる二叉部が形成されている。この第２クランプ１４の二叉部は、内側面がホースＨの外周面に押圧され、外側面に前記第１クランプ１３の噛合部１３ａの内側面が接触する基端側のホース押え部１４ａと、内側面に噛合歯が形成され、外側面が前記第１クランプ１３の抜け止め部１３ｂの内側面に接触する先端側の噛合部１４ｂとから構成されている。
【００１７】
つまり、前記クランプ１２の第１クランプ１３と第２クランプ１４とがホースＨに装着された状態にあっては、前記第１クランプ１３の先端の二叉部と、前記第２クランプ１４の先端の二叉部とを入れ子式に挿入すると、前記第１クランプ１３の噛合部１３ａの噛合歯と、前記第２クランプ１４の噛合部１４ｂの噛合歯とが噛合する。そして、前記第２クランプ１４の噛合部１４ｂの外側面が前記第１クランプ１３の抜け止め部１３ｂの内側面で押圧されることにより、両二叉部が抜けることがないように構成されている。
【００１８】
この水分岐装置１０のクランプ１２は、前記二叉部の第１クランプ１３の噛合部１３ａの噛合歯と、第２クランプ１４の噛合部１４ｂの噛合歯との歯形は、何れも二叉部の奥側である噛合部の基端側に傾斜するように形成されている。これら噛合部１３ａ，１４ｂの噛合歯の歯形をこのように傾斜させたのは、噛合歯同士を噛合させるに際しての入れ子式に挿入する作業の容易化と、入れ子式に挿入された二叉部の抜け止めに対する信頼性の向上を狙いとしたものであり、極めて好ましい形態である。
【００１９】
前記クランプ１２の中心位置であって、かつこのクランプ１２の前記二叉部の間の凹曲面に、円錐台状体１２ａが形成されると共に、この円錐台状体１２ａの頂部の中心位置に、アルミニウム合金からなるチューブを斜めに削いだ形状の先端がホースＨに刺込まれ、このホースＨを流れる水を分配供給するために抜き出すための水抜用刺込管１５が植設されている。なお、前記円錐台状体１２ａは、水分岐装置１０がホースＨに取付けられた場合において、水抜用刺込管１５の刺込位置からの漏水防止に対する信頼性の向上のために、ホースＨの刺込穴の内側端面の水抜用刺込管１５の外周面に対する押圧力を増加させることを狙いとして設けたものである。
【００２０】
前記ホースクランプ部１１のクランプ１２の反対側に、円筒部１６が形成されている。
この円筒部１６の内部に、前記水抜用刺込管１５の径方向の中心をとおる中心線ＬＣを共有する円筒部１６の中心部の長手方向に沿って前記水抜用刺込管１５から抜出された前記ホースＨを流れる水の一部を流す流水路１６ａが形成されている。そして、前記円筒部１６の端部に設けられた図示しない雌ネジに、分岐ホースＨｂが接続されるホースニップル１７ａを有し、かつ内部に弁機構を有する継手部１７が螺着されている。
【００２１】
なお、前記第１クランプ１３の噛合部１３ａと抜け止め部１３ｂとの間であって、かつ外側面に形成されてなる外側歯形１３ｃと、前記第２クランプ１４のホース押え部１４ａと噛合部１３ｂとの間であって、かつ外側面に形成されてなる外側歯形１４ｃとは、クランプ作業のための滑り止めであるから、必ずしも設ける必要がないものである。また、前記継手部１７にはホースニップル１７ａが設けられているが、例えばチューブが接続されるチューブ継手用のネジが設けられていても、直に散水ノズルや散布ノズルを取付けるように構成されていてもよい。
【００２２】
次に、図１（ａ），（ｂ）および図２を順次参照しながら、上記水分岐装置１０の水抜用刺込管１５をホースＨに刺込む際に用いる、本発明の実施の形態に係る刺込管刺込用治具の構成を説明する。即ち、図２，３に示す符号１は、本発明の実施の形態に係る刺込管刺込用治具である。この刺込管刺込用治具１の一端側には、前記ホースＨが押込まれる、後述するホース保持凹所２が設けられている。
【００２３】
前記ホース保持凹所２は、前記ホースＨの直径Ｄより小間隔のホース挟圧面２ｂを備えると共に、奥側に凹曲面２ｃを備えており、前記ホースＨが端面の開口部２ａから押込まれると、押込まれたホースＨの断面は扁平、つまりホース保持凹所２の開口部２ａの幅方向が短径で、ホース保持凹所２の奥行き方向が長径の長円になるように設定されている。
さらに、ホース保持凹所２の奥側の凹曲面２ｃから開口部２ａまでの寸法Ｌは、このホース保持凹所２に押込まれた扁平後のホースＨの長径より小寸に設定されており、扁平後のホースＨの一部が開口部２ａから突出するように配慮されている。
【００２４】
前記ホース保持凹所２のホース挟圧面２ｂの外側に、前記水分岐装置１０のホースクランプ部１１を構成するクランプ１２の第１クランプ１３と、第２クランプ１４の間隔を次第に拡げさせる二叉部拡張部３が形成されている。この二叉部拡張部３は、前記ホース保持凹所２の開口部２ａから離れるに連れて互いに間隔が大きくなる斜面３ａ，３ａを備えている。また、これら両斜面３ａ，３ａの幅方向の両側に、前記水分岐装置１０のクランプ１２の第１クランプ１３と、第２クランプ１４の幅方向の側面を案内する案内面４ａを有する二叉部ガイド４が設けられている。
【００２５】
さらに、この刺込管刺込用治具１の他端側に、この刺込管刺込用治具１を図示しない格納フックに掛けて格納するための格納用穴５が設けられると共に、前記二叉部拡張部３と格納用穴５との間が、水分岐装置１０の水抜用刺込管１５をホースＨに刺込む際に手で持つための握持部６となっている。なお、この実施の形態の場合、握持部６の横断面の形状は矩形状になっているが、握持性の向上のために、例えば円形状にしても良い。また、二叉部拡張部３、二叉部ガイド４を含む刺込管刺込用治具１の全体が一体の同一部材から構成されているが、握持部６は別部材から構成されていても良い。
【００２６】
ところで、本発明の実施の形態に係る刺込管刺込用治具１の二叉部ガイド４は、上記のとおり、二叉部拡張部３の両斜面３ａの幅方向の両側に設けられているが、何れか一方の斜面３ａの幅方向の両側に設けられていれば良く、機能上の観点からすると、必ずしも二叉部拡張部３の両斜面３ａの幅方向の両側に設ける必要がない。しかしながら、この刺込管刺込用治具１は、樹脂（詳しくは、ポリアセタール樹脂）製で、それなりに高強度であるものの、強度上の観点からすると、本実施例のように二叉部拡張部３の両斜面３ａの幅方向の両側に二叉部ガイド４を設けるのが好ましい。
【００２７】
また、二叉部拡張部３の斜面３ａは、開口部２ａから握持部６の握持部平面６ａまで同角度に設定されているが、開口部２ａ側の斜面と、握持部平面６ａと平行な平面とからなる構成であっても良い。さらに、外側に膨出する曲面であっても良い。
【００２８】
以下、本発明の実施の形態に係る刺込管刺込用治具１の使用態様を、図２を参照しながら説明する。即ち、この刺込管刺込用治具１によれば、水分岐装置１０の水抜用刺込管１５を下記のようにしてホースＨに刺込むと共に、このホースＨに水分岐装置１０を容易に取付け得る状態にすることができる。
【００２９】
（１）刺込管刺込用治具１の握持部６を一方の手、例えば左手で持ち、他方の手、例えば右手で持ったホースＨを開口部２ａからホース保持凹所２に押込む。
（２）ホースＨから離した右手で水分岐装置１０の円筒部１６を持ち、水分岐装置１０のクランプ１２の第１クランプ１３の二叉部の抜け止め部１３ｂを二叉部拡張部３の一方の斜面３ａに合わせると共に、第２クランプ１４の二叉部の噛合部１４ｂを二叉部拡張部３の他方の斜面３ａに合わせる。
（３）水分岐装置１０をホース保持凹所２の開口部２ａの方向に押し、水抜用刺込管１５の先端をホース保持凹所２から突出しているホースＨの外周に当接させる。
（４）水抜用刺込管１５の先端がホース保持凹所２から突出しているホースＨの外周に当接したら、水分岐装置１０のクランプ１２の第１クランプ１３と第２クランプ１４の二叉部の間の凹曲面が当接するまで、それなりの力で水分岐装置１０をホースＨの方向に押して水抜用刺込管１５をホースＨに刺込む。
（５）水抜用刺込管１５が刺込まれたホースＨから刺込管刺込用治具１を取外す。
【００３０】
以上の作業により、水分岐装置１０の水抜用刺込管１５のホースＨへの刺込み作業が終了する。刺込み作業終了後、ホースＨに水分岐装置１０を容易に取付け得る状態になる。
即ち、第１クランプ１３の外側歯形１３ａと、第２クランプ１４の外側歯形１４ａを相対する方向に押して両二叉部を入れ子式に挿入すれば、図３において示すように、第１クランプ１３の噛合部１３ａの噛合歯と第２クランプ１４の噛合部１４ｂの噛合歯とが噛合し、水分岐装置１０がホースＨに強固に取付けられる。
【００３１】
従って、本発明の実施の形態に係る刺込管刺込用治具１によれば、水分岐装置１０の水抜用刺込管１５を位置ずれさせることなく、ホースＨに刺込むことができる。また、刺込管刺込用治具１のホース保持凹所２の奥から開口部２ａまでの寸法が、このホース保持凹所２に押込まれた扁平後のホースＨの長径よりも小寸に設定されているから、水分岐装置１０の水抜用刺込管１５を完全にホースＨに刺込むことができる。さらに、ホース保持凹所２に押込まれたホースＨは、水抜用刺込管１５の刺込方向に長径を有する長円に変形するため、水抜用刺込管１５の先端がホースＨの水抜用刺込管１５の刺込位置の反対側の内周面に突き当たるようなことがない。
【００３２】
本発明の実施の形態に係る刺込管刺込用治具１では、上記従来例１，２に係る散水装置の場合のように、散水部や散水ノズルに分配供給する分岐チューブや立ち上げ管をホースに接続するために、穴開け治具やパンチを用いてホースＨに接続するための穴を開ける必要がない。従って、本発明の実施の形態に係る刺込管刺込用治具１によれば、ホースＨに接続するための穴を開けるまでもなく、水分岐装置１０を取付けることができる。
【００３３】
また、変形し易いホースＨであっても、ホース保持凹所２に押込んでホースＨの変形を抑制して、クランプ１２の第１クランプ１３と第２クランプ１４の二叉部の間の凹曲面が当接するまで水分岐装置１０をホースＨの押すだけなので、水分岐装置１０を極めて迅速に、しかも安全、確実にホースＨに接続することができる。
【産業上の利用可能性】
【００３４】
なお、以上の実施の形態に係る刺込管込用治具１においては、何れも園芸用散水装置の散水用の水を送水するホースに取付けられる水分岐装置に適用した場合を例として説明した。しかしながら、入れ子式の二叉部を有するクランプを具備する水分岐装置は、例えば液体肥料の散布装置や、殺虫剤散布装置のホースに対しても適用することができるので、本発明の刺込管刺込用治具１の用途は、園芸用散水装置のホース用の水分岐装置だけに限定されるものではなく、例えば液体肥料の散布装置や、殺虫剤散布装置のホースに対しても適用することができる。
【図面の簡単な説明】
【００３５】
【図１】本発明の実施の形態に係り、図１（ａ）は刺込管刺込用治具の側面図であり、図１（ｂ）は図１（ａ）のＡ矢視図である。
【図２】本発明の実施の形態に係り、水分岐装置の水抜用刺込管をホースに刺込む作業手順説明図である。
【図３】本発明の実施の形態に係り、水分岐装置のホースへの取付け状態を示す構成説明図である。
【図４】従来例１に係る植栽用散水装置に関し、穴開け治具の斜視図である。
【図５】従来例１に係る植栽用散水装置に関し、穴開け治具によるホースへの穴開けを模式的に示す図である。
【図６】従来例１に係る植栽用散水装置に関し、図６（ａ）は穴開け治具によりホースに開けられた穴に分岐チューブが接続された形態を示す斜視図であり、図６（ｂ）は穴開け治具によりホースに開けられた穴にマイクロエミッター（散水手段）、ホールプラグが取付けられた場合を模式的に示した図である。
【符号の説明】
【００３６】
１…刺込管刺込用治具，２…ホース保持凹所，２ａ…開口部，２ｂ…ホース挟圧面，２ｃ…凹曲面，３…二叉部拡張部，３ａ…斜面，４…二叉部ガイド，４ａ…案内面，５…格納用穴，６…握持部
１０…水分岐装置
１１…ホースクランプ部
１２…クランプ，１２ａ…円錐台状体
１３…第１クランプ，１３ａ…噛合部，１３ｂ…抜け止め部，１３ｃ…外側歯形
１４…第２クランプ，１４ａ…ホース押え部，１４ｂ…噛合部，１４ｃ…外側歯形
１５…水抜用刺込管
１６…円筒部，１６ａ…流水路
１７…継手部，１７ａ…ホースニップル
Ｄ…ホースＨの直径
Ｈ…ホース
Ｈｂ…分岐ホース
Ｌ…ホース保持凹所の凹曲面から開口部までの寸法
Ｌｃ…水抜用刺込管の径方向の中心をとおる中心線
【要約】
【課題】水分岐装置の水抜用刺込管をホースに刺込む際に用いる刺込管刺込用治具を提供する。
【解決手段】液分岐装置１０のクランプ１２の互いに対向する側に、互いに噛合する噛合部１３ｂ、１４ｂが形成されてなる互いに入れ子式に挿入可能な二叉部の間の凹曲面側に植設された水抜用刺込管１５をホースＨに刺込む際に用いる刺込管刺込用治具１を、前記ホースＨの直径より小間隔のホース挟圧面２ｂを有し、前記ホースＨが押込まれるホース保持凹所２と、ホース保持凹所２のホース挟圧面２ｂの外側に形成され、ホース保持凹所２の開口部２ａから離れるに連れて互いに間隔が拡大する斜面３ａを有する二叉部拡張部３と、二叉部拡張部３の斜面３ａの幅方向の外側に形成され、二叉部の幅方向の側面を案内する案内面４ａを有する二叉部ガイド４とから構成する。
【選択図】図２【図１】
0004349498.tif 000002
【図２】
0004349498.tif 000003
【図３】
0004349498.tif 000004
【図４】
0004349498.tif 000005
【図５】
0004349498.tif 000006
【図６】
0004349498.tif 000007